(57)【要約】【課題】杭状物を連結させた状態で十分な曲げ剛性を発現し得る連結継手、及びこの連結継手により連結された杭状物の連結体を提供する。【解決手段】連結継手９は、一端を有すると共に他方の杭状物２の環状端部部材４の挿入孔５の周壁に係合可能な他端を有する連結部１２と、連結部１２の一端において一方の杭状物２の方に突出するように設けられ、一方の杭状物２の環状端部部材６の挿入孔７の周壁に係合可能な係合突出部１３と、連結部１２の外周面上に設けられると共に、一方の杭状物２のねじ穴８に対応し、軸方向に貫通して形成されたボルト穴１１を有する環状のフランジ部１０と、連結部１２とフランジ部１０とに接触するように接合されかつ他方の杭状物２を連結する際に当該杭状物２の環状端部部材４に接触するように接合される補強リブ１６と、を備えている。【選択図】図１
2018003294.tif 000002
【特許請求の範囲】
【請求項１】
軸方向に沿って延びた二本の杭状物を連結する連結継手であって、
前記杭状物は、前記軸方向の連結側でかつ当該軸方向と同軸に設けられ、前記杭状物の外径よりも小さい径を有する挿入孔が形成された環状端部部材を備えており、
前記二本の杭状物のうち一方の杭状物の前記環状端部部材には、前記軸方向に貫通した複数のねじ穴が形成されており、
一端を有すると共に前記他方の杭状物の前記環状端部部材の前記挿入孔の周壁に係合可能な他端を有する連結部と、
前記連結部の前記一端において前記一方の杭状物の方に突出するように設けられ、前記一方の杭状物の前記挿入孔の周壁に係合可能な係合突出部と、
前記連結部の外周面上に設けられると共に、前記一方の杭状物の前記ねじ穴に対応し、前記軸方向に貫通して形成されたボルト穴を有する環状のフランジ部と、
前記連結部と前記フランジ部とに接触するように接合され、かつ、前記他方の杭状物を連結する際に当該他方の杭状物の前記環状端部部材に接触するように接合される補強リブと、を備えていることを特徴とする連結継手。
【請求項２】
前記連結部は円筒状に形成されており、
前記補強リブは、前記連結部の中心を基準として放射状に且つ等角度間隔に少なくとも３つ設けられていることを特徴とする請求項１に記載の連結継手。
【請求項３】
前記連結部は円筒状に形成されており、
前記補強リブは、前記連結部の中心を基準として放射状に且つ等角度間隔に少なくとも４つ設けられ、前記中心を基準に径方向に対称的に設けられていることを特徴とする請求項１に記載の連結継手。
【請求項４】
軸方向に沿って延びた少なくとも二本の杭状物が連結継手により前記軸方向に沿って直線状に連結された杭状物の連結体であって、
前記杭状物は、前記軸方向の連結側でかつ当該軸方向と同軸に設けられ、前記杭状物の外径よりも小さい径を有する挿入孔が形成された環状端部部材を備えており、
前記二本の杭状物のうち一方の杭状物の前記環状端部部材には、前記軸方向に貫通した複数のねじ穴が形成されており、
前記連結継手は、
一端を有すると共に前記他方の杭状物の前記環状端部部材の前記挿入孔の周壁に係合可能な他端を有する連結部と、
前記連結部の前記一端において前記一方の杭状物の方に突出するように設けられ、前記一方の杭状物の前記挿入孔の周壁に係合可能な係合突出部と、
前記連結部の外周面上に設けられると共に、前記一方の杭状物の前記ねじ穴に対応し、前記軸方向に貫通して形成されたボルト穴を有する環状のフランジ部と、
前記連結部と前記フランジ部と前記他方の杭状物の前記環状端部部材とに接触するように接合された補強リブと、を備えており、
前記係合突出部が前記一方の杭状物の前記挿入孔の周壁に係合し、前記フランジ部が前記一方の杭状物の前記環状端部部材に当接すると共に前記連結部の前記他端が前記他方の杭状物の前記挿入孔の周壁に係合した状態で、前記連結部と前記他方の杭状物の前記環状端部部材とが溶接され、かつ、前記フランジ部の前記ボルト穴を介して前記一方の杭状物の前記環状端部部材の前記ねじ穴にボルトが締結されることによって、前記一方の杭状物と前記他方の杭状物とが前記連結継手により連結されて成ることを特徴とする杭状物の連結体。
【発明の詳細な説明】
【技術分野】
【０００１】
本発明は、基礎用の杭、電柱及び照明塔などに用いられるポールといった柱状の物体（以下、杭状物と総称する）を、その軸方向に沿って直線状に連結するための連結継手、及びこの連結継手により連結された杭状物の連結体に関する。
【背景技術】
【０００２】
従来、前記杭状物としては、その用途や目的によって様々なものが提案されている。例えば基礎用の杭としては、所謂コンクリートパイル（ＰＨＣパイル、ＳＣパイルなど）や、鋼管杭などが提案され、前記ポールも同様に、コンクリート製のポールや鋼管製のポールなどが提案されている。
【０００３】
このような杭状物はその必要な長さが用途に応じて様々であることや、杭状物を搬送車等によって製造工場から使用現場まで搬送する際に、その搬送上の制約があることなどから、一般的にその単体の長さは６〜１５ｍ程度に設定される。したがって、使用長さが、単体の長さ以上である場合には、必然的に、使用現場において二本以上の杭状物を連結する必要があり、従来このような連結手法の一例として、特許文献１に開示されるものが知られている。
【０００４】
特許文献１に開示される手法は、ねじ継手によって鋼管杭を連結するというものであり、このねじ継手は、それぞれ短管部材から構成される雌ねじ部材及び雄ねじ部材からなる。雌ねじ部材は、その内周部にテーパ状の雌ねじが形成され、他方、雄ねじ部材は、その外周部にテーパ状の雄ねじが形成されており、雌ねじ部材を一方の鋼管杭に溶接接合し、雄ねじ部材を他方の鋼管杭に溶接接合した状態で、雌ねじ部材の雌ねじ部に雄ねじ部材の雄ねじを螺合させることにより、雄ねじ部材と雌ねじ部材とが結合され、二本の鋼管杭が連結される。
【０００５】
なお、特許文献１に開示される方法では、使用する鋼管杭に無駄が生じないように、使用現場において、ねじ継手を鋼管杭に溶接接合するようにしている。具体的には、継ぎ足される側の鋼管杭に雌ねじ部材を溶接接合するとともに、継ぎ足し用の鋼管杭を必要な長さに切断した後、この継ぎ足し用の鋼管杭に雄ねじ部材を溶接接合し、この後、雌ねじ部材と雄ねじ部材とを螺合させることによって、二本の鋼管杭を連結する。
【０００６】
斯くして、特許文献１に開示されたねじ継手によれば、雌ねじ部材と雄ねじ部材とを螺合させることによって、二本の鋼管杭を自動的に芯合わせした状態で連結することができる。また、使用現場で、継ぎ足し用の鋼管杭を必要な長さに調整するとともに、必要なねじ継手を使用現場で溶接接合するようにすれば、ねじ継手及び鋼管杭が無駄に廃棄されるのを防止することができ、施工費の低減が図れるとのことである。
【先行技術文献】
【特許文献】
【０００７】
【特許文献１】特開２００２−１３１３６号公報
【発明の概要】
【発明が解決しようとする課題】
【０００８】
ところで、基礎用の杭、電柱や照明塔などに用いられるポールといった杭状物の連結体は、その使用状態において、その軸線と交差する方向の外力を受けるため、その連結部において、十分な曲げ剛性を備えていることが求められる。
【０００９】
ところが、上述した従来のねじ継手は、曲げモーメントに対して十分な剛性を構造的に備えていないという問題があった。即ち、上記従来のねじ継手の場合、ねじ部がテーパねじであるので、これに曲げモーメントが作用すると、当該曲げモーメントによって、前記雌ねじ部材は、その雌ねじ部の開口部が拡径するように弾性変形し、この弾性変形によって、雌ねじ部材と雄ねじ部材との締結が緩むという現象を生じる。
【００１０】
また、上記従来のねじ継手の場合、曲げモーメントが作用すると、曲げ外側部分のねじ部には引張り力が作用し、曲げ内側部分のねじ部には圧縮力が作用するが、引張り力が作用するねじ部では、ねじ山が破断し易く、この面からしても十分な剛性を備えていない。
【００１１】
本発明は、以上の実情に鑑みなされたものであって、杭状物を連結させた状態で十分な曲げ剛性を発現し得る連結継手、及びこの連結継手により連結された杭状物の連結体を提供することを目的とする。
【課題を解決するための手段】
【００１２】
本発明に係る連結継手は、軸方向に沿って延びた二本の杭状物を連結する連結継手であって、
前記杭状物は、前記軸方向の連結側でかつ当該軸方向と同軸に設けられ、前記杭状物の外径よりも小さい径を有する挿入孔が形成された環状端部部材を備えており、
前記二本の杭状物のうち一方の杭状物の前記環状端部部材には、前記軸方向に貫通した複数のねじ穴が形成されており、
一端を有すると共に前記他方の杭状物の前記環状端部部材の前記挿入孔の周壁に係合可能な他端を有する連結部と、
前記連結部の前記一端において前記一方の杭状物の方に突出するように設けられ、前記一方の杭状物の前記挿入孔の周壁に係合可能な係合突出部と、
前記連結部の外周面上に設けられると共に、前記一方の杭状物の前記ねじ穴に対応し、前記軸方向に貫通して形成されたボルト穴を有する環状のフランジ部と、
前記連結部と前記フランジ部とに接触するように接合され、かつ、前記他方の杭状物を連結する際に当該他方の杭状物の前記環状端部部材に接触するように接合される補強リブと、を備えて成る。
【００１３】
また、本発明に係る杭状物の連結体は、軸方向に沿って延びた少なくとも二本の杭状物が連結継手により前記軸方向に沿って直線状に連結された杭状物の連結体であって、
前記杭状物は、前記軸方向の連結側でかつ当該軸方向と同軸に設けられ、前記杭状物の外径よりも小さい径を有する挿入孔が形成された環状端部部材を備えており、
前記二本の杭状物のうち一方の杭状物の前記環状端部部材には、前記軸方向に貫通した複数のねじ穴が形成されており、
前記連結継手は、
一端を有すると共に前記他方の杭状物の前記環状端部部材の前記挿入孔の周壁に係合可能な他端を有する連結部と、
前記連結部の前記一端において前記一方の杭状物の方に突出するように設けられ、前記一方の杭状物の前記挿入孔の周壁に係合可能な係合突出部と、
前記連結部の外周面上に設けられると共に、前記一方の杭状物の前記ねじ穴に対応し、前記軸方向に貫通して形成されたボルト穴を有する環状のフランジ部と、
前記連結部と前記フランジ部と前記他方の杭状物の前記環状端部部材とに接触するように接合された補強リブと、を備えており、
前記係合突出部が前記一方の杭状物の前記挿入孔の周壁に係合し、前記フランジ部が前記一方の杭状物の前記環状端部部材に当接すると共に前記連結部の前記他端が前記他方の杭状物の前記挿入孔の周壁に係合した状態で、前記連結部と前記他方の杭状物の前記環状端部部材とが溶接され、かつ、前記フランジ部の前記ボルト穴を介して前記一方の杭状物の前記環状端部部材の前記ねじ穴にボルトが締結されることによって、前記一方の杭状物と前記他方の杭状物とが前記連結継手により連結されて成る。
【００１４】
本発明に係る連結継手により連結される二本の杭状物において、一方の杭状物の連結側の構造と、他方の杭状物の連結側の構造とは、互いに異なっている。これは、一方の杭状物に対する連結継手の固定方法と他方の杭状物に対する連結継手の固定方法とが異なるためである。後で詳述するが、前記一方の杭状物に対する連結継手の固定はボルトにより行い、前記他方の杭状物に対する連結継手の固定は溶接により行う。なお、これとは逆に、前記一方の杭状物に対する連結継手の固定を溶接により行い、前記他方の杭状物に対する連結継手の固定をボルトにより行うようにしてもよい。一方の杭状物の前記環状端部部材には、軸方向に貫通した複数のねじ穴が形成されている。他方の杭状物の前記環状端部部材については、前記ねじ穴が形成されていてもよいし、形成されていなくてもよい。
【００１５】
前記杭状物及び連結継手は使用現場に適宜搬入され、必要に応じ、前記連結継手を介して前記杭状物同士が連結されながら、使用される。即ち、例えば、前記杭状物が基礎用杭の場合、まず、最初の杭を、その前記環状端部部材が上方に位置するようにして、埋設設備を適宜用いて地中に埋め込む。なお、この最初の杭については、その両端部に環状端部部材が設けられている必要はなく、少なくとも、一方の端部に前記環状端部部材が設けられていれば足り、上述した如く、この環状端部部材が上方に位置するようにして、当該杭を地中に埋め込む。
【００１６】
次に、連結継手を他方の杭状物に溶接により接合する。この場合、連結継手の連結部の他端部を、前記他方の杭状物の環状端部部材の挿入孔に挿入した状態で、当該連結部の他端部と前記環状端部部材とを溶接により接合する。これにより、他方の杭状物と溶接継手との連結体を得ることができる。
【００１７】
続いて、上述の埋め込んだ杭（以下、「埋め込み杭」という場合がある）に、溶接継手が接合された他方の杭状物（以下、「継ぎ足し杭」という場合がある）を連結するには、まず、前記埋設設備を用いて、溶接継手が接合された前記継ぎ足し杭を埋め込み杭の上方に位置させ、埋め込み杭と継ぎ足し杭とが、その軸方向に沿って直線状に配置されるようにする。そして、この状態で、継ぎ足し杭を降下させて、前記連結継手の係合突出部を、埋め込み杭の前記環状端部部材の挿入孔の周壁に係合させると共に、当該環状端部部材の上端面と連結継手のフランジ部の下面とを当接させる。そして、フランジ部に形成された各ボルト穴を通して、それぞれボルトを前記環状端部部材に形成されたねじ穴に螺合させて締め込み、当該埋め込み杭に連結継手を締結する。
【００１８】
このようにして埋め込み杭と継ぎ足し杭とを連結した後、前記埋設設備を用いて、これらを更に地中に埋め込む。以後、同様にして、必要に応じ、連結継手によって継ぎ足し杭を継ぎ足しながら、当該杭を地中に埋め込んでいく。
【００１９】
以上のように、本発明によれば、連結継手が接合された他方の杭状物と当該連結継手に固定された一方の杭状物とは、連結継手のフランジの端面と環状端部部材の端面とが当接し、環状端部部材の挿入孔の周壁に連結継手の係合突出部が係合された状態で、ボルトによって締結されているので、各杭状物と連結継手とが強固に連結される。詳しくは、例えば杭状物と連結継手との間に、その横断面に沿った方向の剪断力が作用する場合、この剪断力は、杭状物と連結継手との連結部において、その各ボルト及び係合突出部が有する剪断剛性によって支えられる。また、杭状物と連結継手との間に、その軸線を曲げるような曲げモーメントが作用する場合、この曲げモーメントは、杭状物と連結継手との連結部において、前記各ボルトの引張強度、並びに前記環状端部部材の挿入孔と連結継手の係合突出部との係合関係、言い換えれば、前記環状端部部材の挿入孔の曲げ剛性及び前記係合突出部の曲げ剛性によって支えられる。このように、連結継手及び杭状物によって構成される連結体は、その連結構造が強固であり、曲げモーメントに対して高い剛性を備えている。また、本発明において、連結部とフランジ部と他方の杭状物の環状端部部材に接触する補強リブが設けられていることにより、前記剪断力及び前記曲げモーメントに対する剛性をさらに高めることができる。さらに、連結継手には、一方の杭状物を連結するためのフランジ部のみを設け、他方の杭状物を連結するためのフランジ部は設けないようにした。これによって、一方の杭状物の環状端部部材と他方の杭状物の環状端部部材との間においてフランジ部及びボルトのヘッドのみの配置スペースを設けるだけで済むので、一方の環状端部部材と他方の環状端部部材との距離、換言すれば、連結部の軸方向における長さを短くすることができる。これによって、前記剪断力及び前記曲げモーメントに対する連結部の剛性を高めることができる。
【００２０】
また、本発明において、前記連結部は円筒状に形成されており、前記補強リブは、前記連結部の中心を基準として放射状に且つ等角度間隔に少なくとも３つ設けられていることが好ましい。これにより、周方向における、曲げモーメントに対する剛性を均等にすることができる。
【００２１】
また、本発明において、前記連結部は円筒状に形成されており、前記補強リブは、前記連結部の中心を基準として放射状に且つ等角度間隔に少なくとも４つ設けられ、前記中心を基準に径方向に対称的に設けられていることが好ましい。これにより、周方向における、曲げモーメントに対する剛性を均等にすることができると共により高めることができる。
【００２２】
本発明における杭状物は、基礎用の杭、電柱や照明塔などに用いられるポールといった柱状の構造物を意図しており、その材質についても何ら制限はなく、コンクリート製の杭状物、金属製の杭状物及び樹脂製の杭状物などが含まれる。
【発明の効果】
【００２３】
以上詳述したように、本発明に係る連結継手及び杭状物によって構成される連結体は、その連結構造が強固であるので、剪断力及び曲げモーメントに対して高い剛性を発現し得る。
【図面の簡単な説明】
【００２４】
【図１】本発明の一実施形態に係る杭状物の連結体を一部破断して示した正面図である。
【図２】図１の矢視Ａ−Ａ方向の断面図である。
【発明を実施するための形態】
【００２５】
以下、本発明の一実施形態に係る連結継手及び当該連結継手により連結された杭状物の連結体について、図面を参照しつつ説明する。
【００２６】
図１は、本発明の一実施形態に係る杭状物の連結体を一部破断して示した正面図である。以下、図１の説明では、二本の杭状物が連結継手により連結されてなる連結体を前提とする。
【００２７】
図１に示すように、連結体１は、例えば基礎用の杭として用いられ、コンクリート製のパイルである二本の杭状物２，２を連結継手９により連結したものである。なお、杭状物２は、基礎用の杭に限定されるものではなく、その材質もコンクリート製に限定されるものではない。杭状物２は、円筒状に形成されており、中空の杭本体３と、この杭本体３の両端部にそれぞれ溶接によって固設された環状端部部材４，６と、当該環状端部部材４，６及び杭本体３の外周部にそれぞれ外嵌された状態で溶接接合された管状部材３ａとを備えている。
【００２８】
環状端部部材４，６は、杭状物２の端面（即ち、軸方向に対して垂直な面）を構成する部材であり、軸方向に貫通して形成された挿入孔５，７を備えている。挿入孔５，７の中心軸と杭状物２の中心軸とは同軸となっている。挿入孔５，７は、杭状物２の外径よりも小さい径を有している。環状端部部材６は一方の杭状物（図１では下側の杭状物。以下同じ。）２に設けられており、環状端部部材４は他方の杭状物（図１では上側の杭状物。以下同じ。）２に設けられている。環状端部部材６には、軸方向に貫通した複数のねじ穴８が設けられている。各ねじ穴８は、それぞれ環状端部部材６の中心を基準として等角度間隔に設けられている。本実施形態では、ねじ穴８は例えば４つ設けられている。なお、ねじ穴８を環状端部部材６に直接形成することとしたが、これに限定されるものではなく、環状端部部材６においてねじ穴を形成すべき箇所にまず貫通孔を穿設し、ねじ穴が形成された円筒状部材を前記貫通孔に挿入した後、当該円筒状部材を環状端部部材６に溶接により接合した態様としてもよい。
【００２９】
連結継手９は、フランジ部１０と、連結部１２と、係合突出部１３と、補強リブ１６とを備えている。連結部１２は、軸方向に延びて形成され、その中心軸と同軸に前記軸方向に貫通して形成された貫通孔１４を備えている。即ち、連結部１２は円筒状に形成されている。連結部１２の一端（図１では下端）は、一方の杭状物２の挿入孔７に挿入されている。連結部１２の前記一端は、挿入孔７の周壁に係合されている。一方、連結部１２の他端（図１では上端）は、他方の杭状物２の挿入孔５に挿入されている。連結部１２の前記他端は、挿入孔５の周壁に係合されている。連結部１２の前記他端と環状端部部材４とは溶接により接合されている。これにより、他方の杭状物２に連結継手９を接続することができる。
【００３０】
フランジ部１０は、連結部１２の外周面を取り囲むように、当該連結部１２の外周面上に設けられている。フランジ部１０は環状に形成されている。フランジ部１０は、連結部１２の軸方向の中心よりも一方の杭状物２の側に配設されている。フランジ部１０には、一方の杭状物２のねじ穴８の位置に対応し、軸方向に貫通して形成された複数のボルト穴１１が設けられている。フランジ部１０の下面は、環状端部部材６の上端面に当接されている。
【００３１】
係合突出部１３は、連結部１２の一端に設けられ、フランジ部１０を基準に一方の杭状物２の方に突出して形成されている。係合突出部１３は、一方の杭状物２の挿入孔７の周壁に係合されている。一方の杭状物２と連結継手９との連結剛性をより高めるために、フランジ部１０の下面が環状端部部材６の上端面に当接した状態で、図１において係合突出部１３の最下端の位置は環状端部部材６の下面の位置よりも低いことが望ましい。
【００３２】
補強リブ１６は、連結継手９が他方の杭状物２に連結される前の段階においては、連結部１２とフランジ部１０とに接触するように接合されている。また、補強リブ１６は、連結継手９が他方の杭状物２に連結された後は、当該他方の杭状物２の環状端部部材４の下面に接触するように溶接接合される。
【００３３】
補強リブ１６は、連結部１２の中心ＣＰを基準として放射状に且つ等角度間隔に少なくとも３つ設けられていればよい。補強リブ１６が例えば３つ設けられる場合、隣り合う一方の補強リブ１６と他方の補強リブ１６とがなす鋭角は１２０°となる。図２の例においては、補強リブ１６は４つ設けられている。この場合、補強リブ１６は、前記中心ＣＰを基準に連結部１２の径方向に対称的に設けられている。
【００３４】
補強リブ１６は例えば板状に形成されており、その厚みは例えば９ｍｍ以上であることが好ましい。また、図２に示すように、補強リブ１６の外縁部は、フランジ部１０の外周縁部の位置まで延設されている。なお、補強リブ１６は、各ボルト穴１１に干渉しない位置で且つ当該各ボルト穴１１に締結される各ボルト１５に干渉しない位置に配設されている。
【００３５】
このような構成において、フランジ部１０のボルト穴１１を通して、ボルト１５が一方の杭状物２の環状端部部材６のねじ穴８に締結される。これによって、上述の通り他方の杭状物２が溶接接合された連結継手９と一方の杭状物２とを連結することができる。即ち、連結継手９によって一方の杭状物２と他方の杭状物２とを連結することが可能となる。
【００３６】
続いて、杭状物２及び連結継手９の使用態様について説明する。まず、製造工場において、杭状物２及び連結継手９を適宜製造し、それぞれ必要な個数を使用現場に搬入する。使用現場では、埋設設備を適宜用いて、まず、最初の杭状物２を鉛直に立てた状態で地中に埋め込む。なお以後、必要に応じて、図１のように埋め込んだ下側の杭状物２に次の杭状物２を連結しながら、順次埋設して杭基礎を形成する。
【００３７】
次に、他方の杭状物２に連結継手９を溶接により接合する。この場合、連結継手９の連結部１２の他端部を、前記他方の杭状物２の環状端部部材４の挿入孔５に挿入した状態で、当該連結部１２の他端部と環状端部部材４とを溶接により接合する。これにより、他方の杭状物２に溶接継手９が接合される。
【００３８】
続いて、上述のように埋め込まれた一方の杭状物２に、溶接継手９が接合された他方の杭状物２を連結する。詳細には、まず前記埋設設備を用いて、溶接継手９が接合された他方の杭状物２を、埋め込まれた状態の杭状物２の上方に位置させ、一方の杭状物２と他方の杭状物２とが、その軸方向に沿って直線状に配置されるようにする。
【００３９】
次いで、他方の杭状物２を下降させ、連結継手９の係合突出部１３を、埋め込まれた状態の杭状物２の環状端部部材６の挿入孔７の周壁に係合させると共に、当該環状端部部材６の上端面と連結継手９のフランジ部１０の下面とを当接させる。
【００４０】
そして、フランジ部１０に形成された各ボルト穴１１を通して、それぞれボルト１５を前記環状端部部材６のねじ穴８に螺合させて締め込む。これによって、連結継手９と、埋め込まれた状態の杭状物２とが接続される。
【００４１】
このようにして、連結継手９により一方の杭状物２と他方の杭状物２とを連結した後、前記埋設設備を用いて、これらを更に地中に埋め込む。以後、同様にして、必要に応じ、連結継手によって杭状物２を継ぎ足しながら、当該杭状物を地中に埋め込んでいく。
【００４２】
以上のように、本実施形態によれば、連結継手９が予め接合された他方の杭状物２と当該連結継手９に固定された一方の杭状物２とは、連結継手９のフランジ１０の下面と環状端部部材６の上端面とが当接し、環状端部部材６の挿入孔７の周壁に連結継手９の係合突出部１３が係合された状態で、ボルト１５によって締結される。このことによって、杭状物２と連結継手９とが強固に連結される。詳しくは、例えば杭状物２と連結継手９との間に、その横断面に沿った方向の剪断力が作用する場合、この剪断力は、杭状物２と連結継手９との連結部１２において、その各ボルト１５及び係合突出部１３が有する剪断剛性によって支えられる。また、杭状物２と連結継手９との間に、その軸線を曲げるような曲げモーメントが作用する場合、この曲げモーメントは、杭状物２と連結継手９との連結部１２において、前記各ボルト１５の引張強度、並びに環状端部部材６の挿入孔７の周壁と係合突出部１３との係合関係、言い換えれば、前記挿入孔７の周壁の曲げ剛性及び係合突出部１３の曲げ剛性によって支えられる。このように、連結継手９及び杭状物２によって構成される連結体１は、その連結構造が強固であり、曲げモーメントに対して高い剛性を備えている。また、補強リブ１６が設けられていることにより、前記剪断力及び前記曲げモーメントに対する剛性をさらに高めることができる。さらに、連結継手９には、一方の杭状物２を連結するためのフランジ部１０のみを設け、他方の杭状物２に対しては溶接接合を行うようにした。これによって、一方の杭状物２の環状端部部材６と他方の杭状物２の環状端部部材４との間においてフランジ部１０及びボルト１５のヘッドのみの配置スペースを設けるだけで済むので、環状端部部材４と環状端部部材６との距離、換言すれば、連結部１２の軸方向における長さを短くすることができる。これによって、前記剪断力及び前記曲げモーメントに対する連結部１２の剛性を高めることができる。
【００４３】
また、本実施形態によれば、補強リブ１６は、連結部１２の中心ＣＰを基準として放射状に且つ等角度間隔に設けられている。これにより、連結継手９の周方向における、曲げモーメントに対する剛性を均等にすることができる。
【００４４】
また、本実施形態によれば、補強リブ１６は、連結部１２の中心ＣＰを基準に径方向に対称的に設けられているので、周方向における、曲げモーメントに対する剛性を均等にすることができると共により高めることができる。
【００４５】
以上、本実施形態に係る連結継手９及び連結体１について説明したが、連結継手９及び連結体１は上記態様に限定されるものではなく、次のような変形例を適用することもできる。
【００４６】
上記実施形態では、基礎用のコンクリートパイルとして用いられる杭状物２を例示したが、これに限定されるものではなく、杭状物２には全ての柱状の構造物が含まれるよう意図されており、その材質についても何ら制限はなく、例えばコンクリート製のポール、金属製の鋼管杭及び樹脂製の杭等も含まれる。
【００４７】
また、上記実施形態では、杭状物２の両端部にそれぞれ環状端部部材４，６を設けた構成としたが、これに限られるものではなく、前記環状端部部材は少なくとも連結側の端部に設けられていればよい。
【００４８】
また、上記実施形態では、挿入孔５，７を貫通孔としたが、これに限られるものではなく、挿入孔５，７は外方に開口した止まり穴であっても良い。
【００４９】
また、上記実施形態では、補強リブ１６がフランジ部１０と連結部１２の外周面と他方の杭状物２の環状端部部材４とに接触するように設けられることとしたが、これに限られるものではなく、補強リブ１６は少なくともフランジ部１０と前記環状端部部材４とに接触するように設けられていればよい。
【００５０】
さらに、上記実施形態では、補強リブ１６の外縁部がフランジ部１０の外周縁部の位置まで延設されることとしたが、これに限られるものではなく、曲げモーメントに対して必要とされる剛性に応じ、補強リブ１６の外縁部を図２の状態から内側に向けて短くしてもよい。なお、他部材との干渉を防ぐ観点から、補強リブ１６の外縁部を図２の状態から外側に向けてさらに延ばさないことが望ましい。
【符号の説明】
【００５１】
１      連結体
２      杭状物
３      杭本体
４，６  環状端部部材
５，７  挿入孔
８      ねじ穴
９      連結継手
１０    フランジ部
１１    ボルト穴
１２    連結部
１３    係合突出部
１５    ボルト
１６    補強リブ
ＣＰ    連結部の中心
【図１】
2018003294.tif 000003
【図２】
2018003294.tif 000004